(57)【要約】【課題】  利用者が容易に利用することができ、且つ施設への入室を正規の権限を持つ人に制限することができる入室管理システムおよび入室管理方法を提供する。【解決手段】  予め設定された照射範囲を照射する可視光を利用して変調した変調扉ＩＤ信号を送信する照明装置１と、利用者により携帯され、照明装置１から変調扉ＩＤ信号を受信して復調し、無線送信する携帯端末２と、携帯端末２から扉ＩＤを受信して正規の扉ＩＤであるか否かを判定し、正規のものであると判定されたときには解錠指示を生成する認証装置３と、入室を管理する施設に設けられ、認証装置３から解錠指示を受信することにより解錠する扉４とから構成される。【選択図】  図２
2008057129.tif 000002
【特許請求の範囲】
【請求項１】
予め設定された照射範囲を照射する照明装置と、利用者が携帯する携帯端末と、認証装置と、入室を管理する施設に設けられた扉とから構成される入室管理システムにおいて、
前記照明装置は、
前記扉を解錠するための前記扉固有のＩＤである扉ＩＤを記録する第１メモリと、
前記第１メモリに記録されている前記扉ＩＤから変調扉ＩＤ信号を生成する変調器と、
前記変調器で生成された変調扉ＩＤ信号を、可視光を利用して前記照射範囲に送信する発光素子と、
を有し、
前記携帯端末は、
前記発光素子により送信された変調扉ＩＤ信号を受信する第１受光素子と、
前記第１受光素子で受信された変調扉ＩＤ信号を前記扉ＩＤに復調する第１復調器と、
前記第１復調器で復調された扉ＩＤを、無線通信を利用して前記認証装置に送信する無線送信部と、
を有し、
前記認証装置は、
前記無線送信部から送信された扉ＩＤを受信する無線受信部と、
受信した扉ＩＤが正規のものであるか否かを判定するための認証処理を行う認証処理部と、
前記扉に接続され、前記認証処理部における認証処理において受信した扉ＩＤが正規のものであると判定されたときは、解錠指示を生成して前記扉に送信する電子鍵制御部と、
を有し、
前記扉は、
前記電子鍵制御部から解錠指示を受信したときに開錠する電子鍵を有する
ことを特徴とする入室管理システム。
【請求項２】
請求項１に記載の入室管理システムにおいて、
前記携帯端末は、前記携帯端末固有の情報である端末ＩＤを記録する第２メモリを有し、
前記携帯端末の前記無線送信部は、前記扉ＩＤとともに前記端末ＩＤを前記認証装置に送信し、
前記認証装置の無線受信部は、前記扉ＩＤとともに前記端末ＩＤを受信し、
前記認証装置の認証処理部は、前記扉ＩＤと前記端末ＩＤとが正規のものであるか否かを判定するための認証処理を行い、
前記認証装置の電子鍵制御部は、前記扉ＩＤと前記端末ＩＤとが正規のものであると判定されたときは、解錠指示を生成して前記扉に送信する
ことを特徴とする入室管理システム。
【請求項３】
請求項１に記載の入室管理システムにおいて、
前記携帯端末は、前記利用者を識別する情報である利用者識別情報を記録する第３メモリを有し、
前記携帯端末の前記無線送信部は、前記扉ＩＤとともに前記利用者識別情報を前記認証装置に送信し、
前記認証装置の無線受信部は、前記扉ＩＤとともに前記利用者識別情報を受信し、
前記認証装置の認証処理部は、前記扉ＩＤと前記利用者識別情報とが正規のものであるか否かを判定するための認証処理を行い、
前記認証装置の電子鍵制御部は、前記扉ＩＤと前記利用者識別情報とが正規のものであると判定されたときは、解錠指示を生成して前記扉に送信する
ことを特徴とする入室管理システム。
【請求項４】
請求項１〜３いずれか１項に記載の入室管理システムにおいて、
前記照明装置は、
計時を行う計時部と、
前記計時部の計時情報を基に予め設定された期間ごとに前記第１メモリに記録されている扉ＩＤを変更するデータ変更部と、
を有し、
前記認証装置は、
前記発光素子により送信された変調扉ＩＤ信号を受信する第２受光素子と、
前記第２受光素子で受信された変調扉ＩＤ信号を前記扉ＩＤに復調する第２復調器と、
前記無線受信部で携帯端末から受信した扉ＩＤと、前記第２復調器で復調された扉ＩＤとが一致するか否かを判定するために照合し、一致すると判定したときにはこの扉ＩＤを前記認証処理部に送出するデータ照合部と、
を有する、
ことを特徴とする入室管理システム。
【請求項５】
請求項１〜３いずれか１項に記載の入室管理システムにおいて、
前記照明装置および前記認証装置は、ネットワークを介して管理装置に接続され、
前記照明装置は、
前記ネットワークを介して前記管理装置とのデータの送受信を行う第１ネットワークインタフェースを有し、
前記認証装置は、
前記ネットワークを介して前記管理装置とのデータの送受信を行う第２ネットワークインタフェースと、
前記認証処理部において正規の扉ＩＤを認証する際に利用する認証用データを記録する第３メモリと、
を有し、
前記管理装置は、
必要に応じて、前記ネットワークおよび前記第１ネットワークインタフェースを介して前記第１メモリに記録される扉ＩＤを変更する情報を送信するとともに、前記ネットワークおよび前記第２ネットワークインタフェースを介して前記第３メモリに記録される認証用データを変更する情報を送信するデータ管理部を有する
ことを特徴とする入室管理システム。
【請求項６】
予め設定された照射範囲を照射する照明装置において、入室を管理する施設に設けられた扉を解錠するための前記扉固有のＩＤである扉ＩＤを記録する扉ＩＤ記録ステップと、
前記照明装置において、前記扉ＩＤ記録ステップで記録された扉ＩＤから変調扉ＩＤ信号を生成する変調扉ＩＤ信号生成ステップと、
前記照明装置において、前記変調扉ＩＤ信号生成ステップで生成された変調扉ＩＤ信号を可視光を利用して前記照射範囲に送信する変調扉ＩＤ信号送信ステップと、
利用者が携帯する携帯端末において、前記変調扉ＩＤ信号送信ステップで送信された変調扉ＩＤ信号を受信する第１変調扉ＩＤ信号受信ステップと、
前記携帯端末において、前記第１変調扉ＩＤ信号受信ステップで受信された変調扉ＩＤ信号を前記扉ＩＤに復調する第１変調扉ＩＤ信号復調ステップと、
前記携帯端末において、前記第１変調扉ＩＤ信号復調ステップで復調された扉ＩＤを、無線通信を利用して認証装置に送信する扉ＩＤ送信ステップと、
前記認証装置において、前記扉ＩＤ送信ステップで送信された前記扉ＩＤを受信する扉ＩＤ受信ステップと、
前記認証装置において、前記扉ＩＤ受信ステップで受信した前記扉ＩＤが正規のものであるか否かを判定する扉ＩＤ判定ステップと、
前記認証装置において、扉ＩＤ受信ステップで受信した前記扉ＩＤが正規のものであると判定されたときに、解錠指示を生成して前記扉に送信する解錠指示送信ステップと、
前記扉において、前記解錠指示送信ステップで送信された解錠指示を受信したときに電子鍵を開錠する解錠ステップと、
を備えることを特徴とする入室管理方法。
【請求項７】
請求項６に記載の入室管理方法において、
前記携帯端末において、前記携帯端末固有の情報である端末ＩＤを記録する端末ＩＤ記録ステップを有し、
前記扉ＩＤ送信ステップにおいて、前記扉ＩＤとともに前記端末ＩＤを前記認証装置に送信し、
前記扉ＩＤ受信ステップにおいて、前記扉ＩＤとともに前記端末ＩＤを受信し、
前記扉ＩＤ判定ステップにおいて、前記扉ＩＤと前記端末ＩＤとが正規のものであるか否かを判定し、
前記扉ＩＤ判定ステップにおいて前記扉ＩＤと前記端末ＩＤとが正規のものであると判定されたときは、前記解錠指示送信ステップにおいて、解錠指示を生成して前記扉に送信する
ことを特徴とする入室管理方法。
【請求項８】
請求項６に記載の入室管理方法において、
前記携帯端末において、前記利用者を識別する情報である利用者識別情報を記録する利用者識別情報記録ステップを有し、
前記扉ＩＤ送信ステップにおいて、前記扉ＩＤとともに前記利用者識別情報を前記認証装置に送信し、
前記扉ＩＤ受信ステップにおいて、前記扉ＩＤとともに前記利用者識別情報を受信し、
前記扉ＩＤ判定ステップにおいて、前記扉ＩＤと前記利用者識別情報とが正規のものであるか否かを判定し、
前記扉ＩＤ判定ステップにおいて前記扉ＩＤと前記利用者識別情報とが正規のものであると判定されたときは、前記解錠指示送信ステップにおいて、解錠指示を生成して前記扉に送信する
ことを特徴とする入室管理方法。
【請求項９】
請求項６〜８いずれか１項に記載の入室管理方法において、
前記照明装置において、計時を行う計時ステップと、
前記照明装置において、前記計時ステップで行われた計時による情報を基に、予め設定された期間ごとに前記端末ＩＤ記録ステップで記録された扉ＩＤを変更するデータ変更ステップと、
前記認証装置において、前記変調扉ＩＤ信号送信ステップで送信された変調扉ＩＤ信号を受信する第２変調扉ＩＤ信号受信ステップと、
前記認証装置において、前記第２変調扉ＩＤ信号受信ステップで受信された変調扉ＩＤ信号を前記扉ＩＤに復調する第２復調器と、
前記認証装置において、前記扉ＩＤ受信ステップで携帯端末から受信した扉ＩＤと、前記第２復調器で復調された扉ＩＤとが一致するか否かを判定するために照合し、一致すると判定したときに扉ＩＤ判定ステップに移行する照合ステップと、
を有することを特徴とする入室管理方法。
【請求項１０】
請求項６〜８いずれか１項に記載の入室管理方法において、
前記照明装置および前記認証装置は、ネットワークを介して管理装置に接続され、
前記認証装置において、前記扉ＩＤ判定ステップで正規の扉ＩＤを認証する際に利用する認証用データを記録する認証用データ記録ステップと、
前記管理装置において、必要に応じて、前記扉ＩＤ記録ステップで記録された扉ＩＤを変更する情報を前記照明装置に送信するとともに前記認証用データ記録ステップで記録された認証用データを変更する情報を前記認証装置に送信する変更データ送信ステップと、
前記照明装置において、前記ネットワークを介して前記扉ＩＤを変更する情報を受信する第１受信ステップと、
前記認証装置において、前記ネットワークを介して前記認証用データを受信する第２送受信ステップと、
を有することを特徴とする入室管理方法。
【発明の詳細な説明】
【技術分野】
【０００１】
本発明は、可視光通信を利用して施設の入室管理を行う入室管理システムおよび入室管理方法に関する。
【背景技術】
【０００２】
従来、ビルやマンションなどの施設の入室を特定の人だけに制限する入室管理システムとして、ＩＤを記録したカード式の鍵を利用するシステムがある。
【０００３】
この入室管理システムでは、磁気を利用した接触式カードやＲＦＩＤ（Radio frequency identification）を利用した非接触式カードなどの鍵に記録されたＩＤをカード読み取り装置に読み取らせ、読み取られたＩＤが正規のものであったときに扉の鍵が解錠する。
【０００４】
これらのシステムを利用した技術として、特許文献１および特許文献２に記載された技術がある。
【０００５】
特許文献１には、複数のドアを制御対象とし、システムの一部に障害が発生したときにも部分的な縮退運転により影響範囲を最小限にし、セキュリティレベルの低下を抑えることができる入退室管理システムに関する技術が記載されている。
【０００６】
また、特許文献２には、鍵を紛失したときや盗難に遭ったときに、不正に使用されることを防止するＲＦＩＤタグ装置が記載されている。
【０００７】
これらの技術を利用することにより、施設への入室に関するセキュリティを向上させることができる。
【０００８】
しかし、上記の特許文献１および特許文献２の技術を利用するには、利用者はカード読み取り装置にカードを読み取らせる動作が必要であるとともに、カード読み取り装置でＩＤが読み取られてから認証され解錠されるまでの間扉の前で待機する必要があるという問題があった。
【０００９】
これを解決するため、特許文献３に記載には、ドア側に設置されたデータ読み取り装置から利用者が携帯するデータ通信器に無線電波が送信され、この無線電波に基づいてデータ通信器に記憶されているデータがデータ読み取り装置に送信され、読み取り装置で受信して解析することにより、鍵の施錠または解錠を制御する入退室管理システムが記載されている。
【００１０】
この技術を利用することにより、利用者がカードを読み取らせる動作をしたり扉の前で待機したりすることなくドアを解錠させることができる。
【特許文献１】特開２００５−３６６２７号公報
【特許文献２】特開２００１−２８３１７１号公報
【特許文献３】特開平９−１３７６４９号公報
【発明の開示】
【発明が解決しようとする課題】
【００１１】
しかし、特許文献３の技術では、電波による無線通信を利用しており、電波は壁を隔てた場所にも送信されてしまうため、悪意を持った第三者により電波の傍受や妨害を受ける危険性があり、さらには利用者や入退室管理システムの管理者がこれらの傍受や妨害を認識することができないという問題があった。
【００１２】
また、電波による無線通信は送信範囲を限定することが困難であるため、混信が発生するおそれがあるという問題があった。
【００１３】
よって本発明は、利用者が容易に利用することができ、且つ施設への入室を正規の権限を持つ人に制限することができる入室管理システムおよび入室管理方法を提供することを目的とする。
【課題を解決するための手段】
【００１４】
上記目的を達成するための本発明の入室管理システムは、予め設定された照射範囲を照射する照明装置と、利用者が携帯する携帯端末と、認証装置と、入室を管理する施設に設けられた扉とから構成され、前記照明装置は、前記扉を解錠するための前記扉固有のＩＤである扉ＩＤを記録する第１メモリと、前記第１メモリに記録されている前記扉ＩＤから変調扉ＩＤ信号を生成する変調器と、前記変調器で生成された変調扉ＩＤ信号を、可視光を利用して前記照射範囲に送信する発光素子とを有し、前記携帯端末は、前記発光素子により送信された変調扉ＩＤ信号を受信する第１受光素子と、前記第１受光素子で受信された変調扉ＩＤ信号を前記扉ＩＤに復調する第１復調器と、前記第１復調器で復調された扉ＩＤを、無線通信を利用して前記認証装置に送信する無線送信部とを有し、前記認証装置は、前記無線送信部から送信された扉ＩＤを受信する無線受信部と、受信した扉ＩＤが正規のものであるか否かを判定するための認証処理を行う認証処理部と、前記扉に接続され、前記認証処理部における認証処理において受信した扉ＩＤが正規のものであると判定されたときは、解錠指示を生成して前記扉に送信する電子鍵制御部とを有し、前記扉は、前記電子鍵制御部から解錠指示を受信したときに開錠する電子鍵を有することを特徴とする。
【００１５】
また、本発明の入室管理方法は、予め設定された照射範囲を照射する照明装置において、入室を管理する施設に設けられた扉を解錠するための前記扉固有のＩＤである扉ＩＤを記録する扉ＩＤ記録ステップと、前記照明装置において、前記扉ＩＤ記録ステップで記録された扉ＩＤから変調扉ＩＤ信号を生成する変調扉ＩＤ信号生成ステップと、前記照明装置において、前記変調扉ＩＤ信号生成ステップで生成された変調扉ＩＤ信号を可視光を利用して前記照射範囲に送信する変調扉ＩＤ信号送信ステップと、利用者が携帯する携帯端末において、前記変調扉ＩＤ信号送信ステップで送信された変調扉ＩＤ信号を受信する第１変調扉ＩＤ信号受信ステップと、前記携帯端末において、前記第１変調扉ＩＤ信号受信ステップで受信された変調扉ＩＤ信号を前記扉ＩＤに復調する第１変調扉ＩＤ信号復調ステップと、前記携帯端末において、前記第１変調扉ＩＤ信号復調ステップで復調された扉ＩＤを、無線通信を利用して認証装置に送信する扉ＩＤ送信ステップと、前記認証装置において、前記扉ＩＤ送信ステップで送信された前記扉ＩＤを受信する扉ＩＤ受信ステップと、前記認証装置において、前記扉ＩＤ受信ステップで受信した前記扉ＩＤが正規のものであるか否かを判定する扉ＩＤ判定ステップと、前記認証装置において、扉ＩＤ受信ステップで受信した前記扉ＩＤが正規のものであると判定されたときに、解錠指示を生成して前記扉に送信する解錠指示送信ステップと、前記扉において、前記解錠指示送信ステップで送信された解錠指示を受信したときに電子鍵を開錠する解錠ステップとを備えることを特徴とする。
【発明の効果】
【００１６】
本発明の入室管理システムおよび入室管理方法によれば、利用者が容易に利用することができ、且つ施設への入室を正規の権限を持つ人に制限することができる。
【発明を実施するための最良の形態】
【００１７】
《第１実施形態》
〈第１実施形態による入室管理システムの構成〉
本発明の第１実施形態による入室管理システムの構成を図１および図２を参照して説明する。
【００１８】
図１は、本実施形態による入室管理システムの全体図であり、図２は本実施形態による入室管理システムの構成を示すブロック図である。
【００１９】
本実施形態による入室管理システムは、図１及び図２に示すように、照明装置１と、利用者５により携帯される携帯端末２と、認証装置３と、入室を管理する施設に入室するための扉４とから構成されている。
【００２０】
照明装置１は、第１メモリ１０と、変調器１１と、発光素子１２とを有する。
【００２１】
第１メモリ１０は、扉４を解錠するための扉４固有のＩＤである扉ＩＤを記録する。
【００２２】
変調器１１は、第１メモリ１０に記録されている扉ＩＤから変調扉ＩＤ信号を生成する。
【００２３】
発光素子１２は、可視光素子（ＬＥＤ：Light Emitting Diode）であり可視光１３を発光し、人間の目には認識できない速さで可視光１３を変化させることにより、変調器１１で生成された変調扉ＩＤ信号を、可視光１３の照射範囲に送信する。
【００２４】
携帯端末２は、第１受光素子２０と、第１復調器２１と、無線送信部２２とを有する。
【００２５】
第１受光素子２０は、発光素子１２により可視光１３を利用して送信された変調扉ＩＤ信号を受信する。
【００２６】
第１復調器２１は、第１受光素子２０で受信された変調扉ＩＤ信号を扉ＩＤに復調するものであり、入室を許可された正規の利用者が携帯する携帯端末２にのみ搭載される。
【００２７】
無線送信部２２は、第１復調器２１で復調された扉ＩＤを電波、可視光、または赤外線などの無線通信２３を利用して認証装置３に送信する。
【００２８】
認証装置３は、無線受信部３０と、認証処理部３１と、電子鍵制御部３２とを有する。
【００２９】
無線受信部３０は、携帯端末２の無線送信部２２から送信された扉ＩＤを受信する。
【００３０】
認証処理部３１は、受信した扉ＩＤが正規のものであるか否かを判定するための認証処理を行う。
【００３１】
電子鍵制御部３２は扉４に接続されており、認証処理部３１における認証処理で、受信した扉ＩＤが正規のものであると判定されたときは、後述する扉４に設けられている電子鍵４０を解錠する解錠指示を生成して扉４に送信する。
【００３２】
扉４は、電子鍵制御部３２から受信する指示に基づいて、扉４の施錠、開錠を行う電子鍵４０を有する。
【００３３】
〈第１実施形態による入室管理システムの動作〉
次に、本実施形態による入室管理システムで行われる処理の動作を、図３のシーケンス図を参照して説明する。
【００３４】
まず、照明装置１の変調器１１において、第１メモリ１０に記録されている扉４を開錠するための扉４固有の扉ＩＤが取得され、変調扉ＩＤ信号が生成される（Ｓ１）。
【００３５】
生成された変調扉ＩＤ信号は、発光素子１２から発光される可視光１３により、可視光１３の照射範囲に送信される（Ｓ２）。
【００３６】
変調扉ＩＤ信号が発光素子１２から可視光１３の照射範囲に送信されている状態で、携帯端末２を携帯した利用者５が可視光１３の照射範囲に入ると、携帯端末２の第１受光素子２０で変調扉ＩＤ信号が受信される（Ｓ３）。
【００３７】
第１受光素子２０で変調扉ＩＤ信号が受信されると、第１復調器２１で扉ＩＤに復調され（Ｓ４）、無線送信部２２から認証装置３に無線通信２３を利用して送信される（Ｓ５）。
【００３８】
認証装置３では、無線受信部３０で携帯端末２の無線送信部２２から送信された扉ＩＤが受信され（Ｓ６）、認証処理部３１でこの扉ＩＤが正規のものであるか否かを判定する認証が行われる（Ｓ７）。
【００３９】
認証の結果、復調された扉ＩＤが正規の扉ＩＤであると判定されたときには、電子鍵制御部３２で扉４に設けられている電子鍵４０を解錠するための解錠指示が生成されて扉４に送信される（Ｓ８）。
【００４０】
扉４では、電子鍵制御部３２から解錠指示が受信される（Ｓ９）と、この解錠指示に従って電子鍵４０が解錠される（Ｓ１０）。
【００４１】
ステップＳ７において、扉ＩＤが正規のものではないと判定されたときには、解錠指示は生成されず、扉４の電子鍵４０は解錠されない。
【００４２】
以上の第１実施形態によれば、正規の権限をもつ利用者のみが施設に入室することができ、正規の利用者は解錠するための動作や待機を必要とせずに、容易に扉の電子鍵を解錠することができる。
【００４３】
《第２実施形態》
〈第２実施形態による入室管理システムの構成〉
本発明の第２実施形態による入室管理システムの構成を、図４のブロック図を参照して説明する。
【００４４】
本実施形態による入室管理システムは、図４に示すように、照明装置１と、利用者５により携帯される携帯端末２と、認証装置３と、施設に入室するための扉４とから構成されている。
【００４５】
本実施形態による入室管理システムは、携帯端末２に第２メモリ２４を有する他は第１実施形態と同様であるため、詳細な説明は省略する。
【００４６】
第２メモリ２４は、携帯端末２固有の情報である端末ＩＤを記録する。
【００４７】
また、携帯端末２の無線送信部２２は、第１復調器２１で復調された扉ＩＤを取得するとともに第２メモリ２４から端末ＩＤを取得し、無線通信を利用して認証装置３に送信する。
【００４８】
また、認証装置３の無線受信部３０は、携帯端末２の無線送信部２２から送信された扉ＩＤおよび端末ＩＤを取得する。
【００４９】
また、認証装置３の認証処理部３１は、無線受信部３０で受信された扉ＩＤおよび端末ＩＤが正規のものであるか否かを判定する認証を行う。
【００５０】
〈第２実施形態による入室管理システムの動作〉
次に、本実施形態による入室管理システムで行われる処理の動作について、図５のシーケンス図を参照して説明する。
【００５１】
図５のステップＳ１１〜Ｓ１４の処理は、第１実施形態における図３のステップＳ１〜Ｓ４と同様の処理であるため詳細な説明は省略する。
【００５２】
携帯端末２で受信された変調扉ＩＤ信号が、ステップＳ１４において扉ＩＤに復調されると、無線送信部２２においてこの扉ＩＤが取得されるとともに第２メモリ２４から端末ＩＤが取得され（Ｓ１５）、認証装置３に無線通信２３を利用して送信される（Ｓ１６）。
【００５３】
認証装置３では、無線受信部３０で携帯端末２の無線送信部２２から送信された扉ＩＤおよび端末ＩＤが受信され（Ｓ１７）、認証処理部３１でこの扉ＩＤおよび端末ＩＤが正規のものであるか否かを判定する認証が行われる（Ｓ１８）。
【００５４】
図５のステップＳ１９〜Ｓ２１の処理は第１実施形態における図３のステップＳ８〜Ｓ１０と同様の処理であるため詳細な説明は省略する。
【００５５】
以上の第２実施形態によれば、第１実施形態と同様の効果を得られるとともに、認証処理の際に端末毎の個別認証を行うことができ、さらにセキュリティレベルが高い入室管理を行うことができる。
【００５６】
《第３実施形態》
〈第３実施形態による入室管理システムの構成〉
本発明の第３実施形態による入室管理システムの構成を、図６のブロック図を参照して説明する。
【００５７】
本実施形態による入室管理システムは、図４に示すように、照明装置１と、携帯端末２と、認証装置３と、施設に入室するための扉４とから構成されている。
【００５８】
本実施形態による入室管理システムは、携帯端末２に入力装置２５および第３メモリ２６を有する他は第１実施形態と同様であるため、詳細な説明は省略する。
【００５９】
入力装置２５は、利用者５により操作され、利用者を識別する情報である利用者識別情報としての暗証番号を入力する。
【００６０】
第３メモリ２６は、入力装置２５により入力された暗証番号を記録する。
【００６１】
〈第３実施形態による入室管理システムの動作〉
次に、本実施形態による入室管理システムで行われる処理の動作について、図７のシーケンス図を参照して説明する。
【００６２】
図７のステップＳ３１〜Ｓ３４の処理は、第１実施形態における図３のステップＳ１〜Ｓ４と同様の処理であるため詳細な説明は省略する。
【００６３】
携帯端末２で受信された変調扉ＩＤ信号が、ステップＳ１４において扉ＩＤに復調されると、無線送信部２２においてこの扉ＩＤが取得されるとともに第３メモリ２６から暗証番号が取得され（Ｓ３５）、認証装置３に無線通信２３を利用して送信される（Ｓ３６）。
【００６４】
認証装置３では、無線受信部３０で携帯端末２の無線送信部２２から送信された扉ＩＤおよび暗証番号が受信され（Ｓ３７）、認証処理部３１でこの扉ＩＤおよび暗証番号が正規のものであるか否かを判定する認証が行われる（Ｓ３８）。
【００６５】
図７のステップＳ３９〜Ｓ４１の処理は第１実施形態における図３のステップＳ８〜Ｓ１０と同様の処理であるため詳細な説明は省略する。
【００６６】
以上の第３実施形態によれば、第１実施形態と同様の効果を得られるとともに、認証処理の際に利用者毎の個別認証を行うことができ、さらにセキュリティレベルが高い入室管理を行うことができる。
【００６７】
また、携帯端末の端末メモリに記録された利用者の暗証番号は一定時間（例えば２４時間）経過後に自動消滅するように設定することにより、携帯端末と利用者とを１対１で対応付ける必要がなくなり、また、携帯端末の盗難などによる不正アクセスを防止することができる。
【００６８】
また、本実施形態においては、利用者を識別する情報として暗証番号を用いたが、これには限定されず、バイオメトリックス情報などを用いてもよい。
【００６９】
《第４実施形態》
〈第４実施形態による入室管理システムの構成〉
本発明の第４実施形態による入室管理システムの構成を、図８のブロック図を参照して説明する。
【００７０】
本実施形態による入室管理システムは、図８に示すように、照明装置１と、携帯端末２と、認証装置３と、施設に入室するための扉４とから構成されている。
【００７１】
照明装置１は、第１メモリ１０と、変調器１１と、発光素子１２と、計時部１４と、データ変更部１５とを有する。
【００７２】
第１メモリ１０、変調器１１、および発光素子１２は、第１実施形態と同様であるため、詳細な説明は省略する。
【００７３】
計時部１４は、後述するデータ変更部１５で扉ＩＤを変更するタイミングを計るための計時を行う。
【００７４】
データ変更部１５は、計時部１４の計時情報を基に予め設定された期間ごと、例えば１分ごとに、第１メモリ１０に記録されている扉ＩＤを変更する。
【００７５】
携帯端末２は、第１受光素子２０と、第１復調器２１と、無線送信部２２とを有する。これらの構成は、第１実施形態の第１受光素子２０、第１復調器２１、および無線送信部２２と同様であるため、詳細な説明は省略する。
【００７６】
認証装置３は、無線受信部３０と、認証処理部３１と、電子鍵制御部３２と、第２受光素子３３と、第２復調器３４と、データ照合部３５とを有する。
【００７７】
無線受信部３０、認証処理部３１、および電子鍵制御部３２は、第１実施形態と同様であるため、詳細な説明は省略する。
【００７８】
第２受光素子３３は、発光素子１２により可視光１３を利用して送信された変調扉ＩＤ信号を受信する。
【００７９】
第２復調器３４は、第２受光素子３３で受信された変調扉ＩＤ信号を扉ＩＤに復調する。
【００８０】
データ照合部３５は、無線受信部３０で受信された扉ＩＤと、第２復調器３４で復調された扉ＩＤとが一致するか否かを判定するために照合し、一致すると判定したときには一致した扉ＩＤを認証処理部３１に送出する。
【００８１】
〈第４実施形態による入室管理システムの動作〉
次に、本実施形態による入室管理システムで行われる処理の動作を、図９のシーケンス図を参照して説明する。
【００８２】
まず、照明装置１の計時部１４による計時情報を基に、予め設定された期間ごと、例えば１分ごとに、第１メモリ１０に記録されている扉４固有の扉ＩＤがデータ変更部１５により変更される（Ｓ５１）。
【００８３】
次に、データ変更部１５により定期的に変更された扉ＩＤが変調器１１で取得され、変調扉ＩＤ信号が生成される（Ｓ５２）。
【００８４】
生成された変調扉ＩＤ信号は、発光素子１２から発光される可視光１３により、認証装置３の設置場所を含む可視光１３の照射範囲に送信される（Ｓ５３）。
【００８５】
変調扉ＩＤ信号が発光素子１２から可視光１３の照射範囲に送信されている状態で、携帯端末２を携帯した利用者５が可視光１３の照射範囲に入ると、携帯端末２の第１受光素子２０で変調扉ＩＤ信号が受信される（Ｓ５４）。
【００８６】
第１受光素子２０で変調扉ＩＤ信号が受信されると、第１復調器２１で扉ＩＤに復調され（Ｓ５５）、無線送信部２２から認証装置３に無線通信２３を利用して送信される（Ｓ５６）。
【００８７】
無線送信部２２から送信された扉ＩＤは認証装置３の無線受信部３０で受信される（Ｓ５７）。
【００８８】
一方、認証装置３も可視光１３の照射範囲にあるため、認証装置３の第２受光素子３３においても変調扉ＩＤ信号が受信される（Ｓ５８）。
【００８９】
第２受光素子３３で変調扉ＩＤ信号が受信されると、第２復調器３４で扉ＩＤに復調される（Ｓ５９）。
【００９０】
次に、データ照合部３５において、無線受信部３０で受信された扉ＩＤと、第２復調器３４で復調された扉ＩＤとが一致するか否かを判定するために照合される（Ｓ６０）。
【００９１】
照合の結果、第２復調器３４で復調された扉ＩＤとが一致するとデータ照合部３５で判定されたときには、認証処理部３１でこの扉ＩＤが正規のものであるか否かを判定する認証が行われる（Ｓ６１）。
【００９２】
認証の結果、復調された扉ＩＤが正規の扉ＩＤであると判定されたときには、電子鍵制御部３２で扉４に設けられている電子鍵４０を解錠するための解錠指示が生成されて扉４に送信される（Ｓ６２）。
【００９３】
扉４では、電子鍵制御部３２から解錠指示が受信される（Ｓ６３）と、この解錠指示に従って電子鍵４０が解錠される（Ｓ６４）。
【００９４】
ステップＳ６０において、無線受信部３０で受信された扉ＩＤと、第２復調器３４で復調された扉ＩＤとが一致しないと判定されたとき、または、ステップＳ６１において、扉ＩＤが正規のものではないと判定されたときには、解錠指示は生成されず、扉４の電子鍵４０は解錠されない。
【００９５】
以上の第４実施形態によれば、第１実施形態と同様の効果を得られるとともに、定期的に扉ＩＤが変更されることで、さらにセキュリティレベルが高い入室管理を行うことができる。
【００９６】
《第５実施形態》
〈第５実施形態による入室管理システムの構成〉
本発明の第５実施形態による入室管理システムの構成を、図１０のブロック図を参照して説明する。
【００９７】
本実施形態による入室管理システムは、図１０に示すように、照明装置１と、携帯端末２と、認証装置３と、施設に入室するための扉４と、管理装置６とから構成され、照明装置１と認証装置３と管理装置６とはネットワーク７を介して接続されている。
【００９８】
照明装置１は、第１メモリ１０と、変調器１１と、発光素子１２と、第１ネットワークインタフェース１６とを有する。
【００９９】
第１メモリ１０、変調器１１、および発光素子１２は、第１実施形態と同様であるため、詳細な説明は省略する。
【０１００】
第１ネットワークインタフェース１６は、ネットワーク７を介して管理装置６とのデータの送受信を行う。
【０１０１】
携帯端末２の構成は、第１実施形態と同様であるため詳細な説明は省略する。
【０１０２】
認証装置３は、無線受信部３０と、認証処理部３１と、電子鍵制御部３２と、第２ネットワークインタフェース３６と、第３メモリ３７とを有する。
【０１０３】
無線受信部３０、認証処理部３１、および電子鍵制御部３２は、第１実施形態と同様であるため、詳細な説明は省略する。
【０１０４】
第２ネットワークインタフェース３６は、ネットワーク７を介して管理装置６とのデータの送受信を行う。
【０１０５】
第３メモリ３７は、認証処理部３１において正規の扉ＩＤを認証する際に利用する認証用データを記録する。
【０１０６】
管理装置６は、ネットワーク７および第１ネットワークインタフェース１６を介して第１メモリ１０に記録される扉ＩＤを変更する情報を送信するとともに、ネットワーク７および第２ネットワークインタフェース３６を介して第３メモリ３７に記録される認証用データを変更する情報を送信するデータ管理部６０を有する。
【０１０７】
〈第５実施形態による入室管理システムの動作〉
次に、本実施形態による入室管理システムで行われる処理の動作は、第１実施形態と同様であるため、詳細な説明は省略する。
【０１０８】
本実施形態においては、管理装置６のデータ管理部６０において照明装置１の第１メモリ１０に記録される扉ＩＤ、および認証装置３の第３メモリ３７に記録される認証用データが管理されており、必要に応じて一定時間ごとまたは任意の時間にこれらの情報が変更される。
【０１０９】
第１メモリ１０に記録される扉ＩＤの変更は、データ管理部６０からネットワーク７を介して変更に関する情報が送信され、第１ネットワークインタフェース１６で受信されることにより行われる。
【０１１０】
また、第３メモリ３７に記録される認証用データの変更は、管理装置６からネットワーク７を介して変更に関する情報が送信され、第２ネットワークインタフェース３６で受信されることにより行われる。
【０１１１】
また、認証処理部３１における認証結果を第３メモリ３７に記録しておき、一定期間ごとに第２ネットワークインタフェース３６およびネットワーク７を介して管理装置６に送信することにより、認証結果のログを管理装置６に記録することも可能である。
【０１１２】
以上の第５実施形態によれば、第１実施形態と同様の効果を得られるとともに、必要に応じて一定時間ごとまたは任意の時間に扉ＩＤを変更することができ、さらにセキュリティレベルが高い入室管理を行うことができる。
【図面の簡単な説明】
【０１１３】
【図１】本発明の第１実施形態〜第５実施形態による入室管理システムを示す全体図である。
【図２】本発明の第１実施形態による入室管理システムの構成を示すブロック図である。
【図３】本発明の第１実施形態および第５実施形態による入室管理システムの動作を示すシーケンス図である。
【図４】本発明の第２実施形態による入室管理システムの構成を示すブロック図である。
【図５】本発明の第２実施形態による入室管理システムの動作を示すシーケンス図である。
【図６】本発明の第３実施形態による入室管理システムの構成を示すブロック図である。
【図７】本発明の第３実施形態による入室管理システムの動作を示すシーケンス図である。
【図８】本発明の第４実施形態による入室管理システムの構成を示すブロック図である。
【図９】本発明の第４実施形態による入室管理システムの動作を示すシーケンス図である。
【図１０】本発明の第５実施形態による入室管理システムの構成を示すブロック図である。
【符号の説明】
【０１１４】
１…照明装置
２…携帯端末
３…認証装置
４…扉
５…利用者
６…管理装置
７…ネットワーク
１０…第１メモリ
１１…変調器
１２…発光素子
１３…可視光
１４…計時部
１５…データ変更部
１６…第１ネットワークインタフェース
２０…第１受光素子
２１…第１復調器
２２…無線送信部
２３…無線通信
２４…第２メモリ
２５…入力装置
２６…第３メモリ
３０…無線受信部
３１…認証処理部
３２…電子鍵制御部
３３…第２受光素子
３４…第２復調器
３５…データ照合部
３６…第２ネットワークインタフェース
３７…第３メモリ
４０…電子鍵
６０…データ管理部
【図１】
2008057129.tif 000003
【図２】
2008057129.tif 000004
【図３】
2008057129.tif 000005
【図４】
2008057129.tif 000006
【図５】
2008057129.tif 000007
【図６】
2008057129.tif 000008
【図７】
2008057129.tif 000009
【図８】
2008057129.tif 000010
【図９】
2008057129.tif 000011
【図１０】
2008057129.tif 000012